(57)【特許請求の範囲】
【請求項１】
ワイヤレス通信のための方法において、
単一の無線周波数（ＲＦ）チェーン上でユーザ機器（ＵＥ）が第１の無線アクセステクノロジー（ＲＡＴ）から第２のＲＡＴへのチューンアウェイを実行するチューンアウェイギャップを前記ＵＥによって決定することと、
前記決定されたチューンアウェイギャップの期間を修正するために、前記ＵＥによって、意図的な偽バッファステータス報告（ＢＳＲ）を送信することとを含み、
前記ＵＥにおいて受信されることになる前記第１のＲＡＴ上のアップリンクデータ送信のためのアップリンク許可が修正されるように、前記意図的な偽ＢＳＲは、前記第１のＲＡＴ上で送信されることになるバッファ中でペンディングであるアップリンクデータの意図的な偽の値を示す方法。
【請求項２】
前記決定されたチューンアウェイギャップの期間を修正するために、前記意図的な偽ＢＳＲを送信することは、前記決定されたチューンアウェイギャップの終わりにおいて前記決定されたチューンアウェイギャップを拡大するために、前記意図的な偽ＢＳＲを送信することを含む請求項１記載の方法。
【請求項３】
前記意図的な偽ＢＳＲは、前記決定されたチューンアウェイギャップの後に送信されることになる前記バッファ中でペンディングである減少されたアップリンクデータを示す請求項２記載の方法。
【請求項４】
前記意図的な偽ＢＳＲの送信のために、アップリンク許可に対するスケジューリング要求を送信することをさらに含む請求項１記載の方法。
【請求項５】
前記第１のＲＡＴ上の前記アップリンクデータ送信を回復するために、前記バッファ中でペンディングであるアップリンクデータの真の値を示す真ＢＳＲを送信することをさらに含む請求項１記載の方法。
【請求項６】
前記真ＢＳＲは、前記決定されたチューンアウェイギャップを短縮するために、前記決定されたチューンアウェイギャップの間に送信される請求項５記載の方法。
【請求項７】
追加の意図的な偽ＢＳＲを送信することにより、次のチューンアウェイギャップを可能にすることをさらに含む請求項１記載の方法。
【請求項８】
前記可能にすることは、異なる期間を有する複数のチューンアウェイギャップから前記次のチューンアウェイギャップを選択することを含む請求項７記載の方法。
【請求項９】
前記チューンアウェイは、前記ＵＥによって自律的に開始される請求項１記載の方法。
【請求項１０】
ワイヤレス通信装置において、
単一の無線周波数（ＲＦ）チェーン上でユーザ機器（ＵＥ）が第１の無線アクセステクノロジー（ＲＡＴ）から第２のＲＡＴへのチューンアウェイを実行するチューンアウェイギャップを前記ＵＥによって決定する手段と、
前記決定されたチューンアウェイギャップの期間を修正するために、前記ＵＥによって、意図的な偽バッファステータス報告（ＢＳＲ）を送信する手段とを具備し、
前記ＵＥにおいて受信されることになる前記第１のＲＡＴ上のアップリンクデータ送信のためのアップリンク許可が修正されるように、前記意図的な偽ＢＳＲは、前記第１のＲＡＴ上で送信されることになるバッファ中でペンディングであるアップリンクデータの意図的な偽の値を示すワイヤレス通信装置。
【請求項１１】
前記決定されたチューンアウェイギャップの期間を修正するために、前記意図的な偽ＢＳＲを送信する手段は、前記決定されたチューンアウェイギャップの終わりにおいて前記決定されたチューンアウェイギャップを拡大するために、前記意図的な偽ＢＳＲを送信する手段を備える請求項１０記載のワイヤレス通信装置。
【請求項１２】
前記意図的な偽ＢＳＲは、前記決定されたチューンアウェイギャップの後に送信されることになる前記バッファ中でペンディングである減少されたアップリンクデータを示す請求項１１記載のワイヤレス通信装置。
【請求項１３】
前記意図的な偽ＢＳＲの送信のために、アップリンク許可に対するスケジューリング要求を送信する手段をさらに具備する請求項１０記載のワイヤレス通信装置。
【請求項１４】
前記第１のＲＡＴ上の前記アップリンクデータ送信を回復するために、前記バッファ中でペンディングであるアップリンクデータの真の値を示す真ＢＳＲを送信する手段をさらに具備する請求項１０記載のワイヤレス通信装置。
【請求項１５】
前記真ＢＳＲは、前記決定されたチューンアウェイギャップを短縮するために、前記決定されたチューンアウェイギャップの間に送信される請求項１４記載のワイヤレス通信装置。
【請求項１６】
追加の意図的な偽ＢＳＲを送信することにより、次のチューンアウェイギャップを可能にする手段をさらに具備する請求項１０記載のワイヤレス通信装置。
【請求項１７】
前記可能にする手段は、異なる期間を有する複数のチューンアウェイギャップから前記次のチューンアウェイギャップを選択する手段を備える請求項１６記載のワイヤレス通信装置。
【請求項１８】
前記チューンアウェイは、前記ＵＥによって自律的に開始される請求項１０記載のワイヤレス通信装置。
【請求項１９】
ワイヤレス通信のためにその上に記録されているプログラムコードを有する非一時的コンピュータ読取可能記憶媒体において、前記プログラムコードは、
単一の無線周波数（ＲＦ）チェーン上でユーザ機器（ＵＥ）が第１の無線アクセステクノロジー（ＲＡＴ）から第２のＲＡＴへのチューンアウェイを実行するチューンアウェイギャップを前記ＵＥによって決定するためのプログラムコードと、
前記決定されたチューンアウェイギャップの期間を修正するために、前記ＵＥによって、意図的な偽バッファステータス報告（ＢＳＲ）を送信するためのプログラムコードとを含み、
前記ＵＥにおいて受信されることになる前記第１のＲＡＴ上のアップリンクデータ送信のためのアップリンク許可が修正されるように、前記意図的な偽ＢＳＲは、前記第１のＲＡＴ上で送信されることになるバッファ中でペンディングであるアップリンクデータの意図的な偽の値を示す非一時的コンピュータ読取可能記憶媒体。
【請求項２０】
前記決定されたチューンアウェイギャップの期間を修正するために、前記意図的な偽ＢＳＲを送信するためのプログラムコードは、前記決定されたチューンアウェイギャップの終わりにおいて前記決定されたチューンアウェイギャップを拡大するために、前記意図的な偽ＢＳＲを送信するためのプログラムコードを含む請求項１９記載の非一時的コンピュータ読取可能記憶媒体。
【請求項２１】
前記意図的な偽ＢＳＲは、前記決定されたチューンアウェイギャップの後に送信されることになる前記バッファ中でペンディングである減少されたアップリンクデータを示す請求項２０記載の非一時的コンピュータ読取可能記憶媒体。
【請求項２２】
前記意図的な偽ＢＳＲの送信のために、アップリンク許可に対するスケジューリング要求を送信するためのプログラムコードをさらに含む請求項１９記載の非一時的コンピュータ読取可能記憶媒体。
【請求項２３】
前記第１のＲＡＴ上の前記アップリンクデータ送信を回復するために、前記バッファ中でペンディングであるアップリンクデータの真の値を示す真ＢＳＲを送信するためのプログラムコードをさらに含む請求項１９記載の非一時的コンピュータ読取可能記憶媒体。
【請求項２４】
前記真ＢＳＲは、前記決定されたチューンアウェイギャップを短縮するために、前記決定されたチューンアウェイギャップの間に送信される請求項２３記載の非一時的コンピュータ読取可能記憶媒体。
【請求項２５】
追加の意図的な偽ＢＳＲを送信することにより、次のチューンアウェイギャップを可能にするためのプログラムコードをさらに含む請求項１９記載の非一時的コンピュータ読取可能記憶媒体。
【請求項２６】
前記可能にするためのプログラムコードは、異なる期間を有する複数のチューンアウェイギャップから前記次のチューンアウェイギャップを選択するためのプログラムコードを含む請求項２５記載の非一時的コンピュータ読取可能記憶媒体。
【請求項２７】
前記チューンアウェイは、前記ＵＥによって自律的に開始される請求項１９記載の非一時的コンピュータ読取可能記憶媒体。
【請求項２８】
ワイヤレス通信のために構成されている装置において、
少なくとも１つのプロセッサと、
前記少なくとも１つのプロセッサに結合されているメモリとを具備し、
前記少なくとも１つのプロセッサは、
単一の無線周波数（ＲＦ）チェーン上でユーザ機器（ＵＥ）が第１の無線アクセステクノロジー（ＲＡＴ）から第２のＲＡＴへのチューンアウェイを実行するチューンアウェイギャップを前記ＵＥによって決定し、
前記決定されたチューンアウェイギャップの期間を修正するために、前記ＵＥによって、意図的な偽バッファステータス報告（ＢＳＲ）を送信するように構成され、
前記ＵＥにおいて受信されることになる前記第１のＲＡＴ上のアップリンクデータ送信のためのアップリンク許可が修正されるように、前記意図的な偽ＢＳＲは、前記第１のＲＡＴ上で送信されることになるバッファ中でペンディングであるアップリンクデータの意図的な偽の値を示す装置。
【請求項２９】
前記決定されたチューンアウェイギャップの期間を修正するために、前記意図的な偽ＢＳＲを送信する前記少なくとも１つのプロセッサの構成は、前記決定されたチューンアウェイギャップの終わりにおいて前記決定されたチューンアウェイギャップを拡大するために、前記意図的な偽ＢＳＲを送信する構成を含む請求項２８記載の装置。
【請求項３０】
前記意図的な偽ＢＳＲは、前記決定されたチューンアウェイギャップの後に送信されることになる前記バッファ中でペンディングである減少されたアップリンクデータを示す請求項２９記載の装置。
【請求項３１】
前記少なくとも１つのプロセッサは、前記意図的な偽ＢＳＲの送信のために、アップリンク許可に対するスケジューリング要求を送信するようにさらに構成されている請求項２８記載の装置。
【請求項３２】
前記少なくとも１つのプロセッサは、前記第１のＲＡＴ上の前記アップリンクデータ送信を回復するために、前記バッファ中でペンディングであるアップリンクデータの真の値を示す真ＢＳＲを送信するようにさらに構成されている請求項２８記載の装置。
【請求項３３】
前記真ＢＳＲは、前記決定されたチューンアウェイギャップを短縮するために、前記決定されたチューンアウェイギャップの間に送信される請求項３２記載の装置。
【請求項３４】
前記少なくとも１つのプロセッサは、追加の意図的な偽ＢＳＲを送信することにより、次のチューンアウェイギャップを可能にするようにさらに構成されている請求項２８記載の装置。
【請求項３５】
前記可能にする前記少なくとも１つのプロセッサの構成は、異なる期間を有する複数のチューンアウェイギャップから前記次のチューンアウェイギャップを選択する構成を含む請求項３４記載の装置。
【請求項３６】
前記チューンアウェイは、前記ＵＥによって自律的に開始される請求項２８記載の装置。
【発明の詳細な説明】
【分野】
【０００１】
［０００１］
本開示の態様は、一般的にワイヤレス通信システムに関連し、より具体的には、マルチＳＩＭユーザ機器中のチューンアウェイ動作を制御することに関連する。
【背景】
【０００２】
［０００２］
ワイヤレス通信ネットワークは、音声、ビデオ、パケットデータ、メッセージング、ブロードキャスト、および、これらに類するもののような、さまざまな通信サービスを提供するために広く配備されている。これらのワイヤレスネットワークは、利用可能なネットワークリソースを共有することによって複数のユーザをサポートすることができる、多元接続ネットワークであってもよい。通常は多元接続ネットワークであるこのようなネットワークは、利用可能なネットワークリソースを共有することにより、複数のユーザに対する通信をサポートする。このようなネットワークの一例は、ユニバーサル地上無線アクセスネットワーク（ＵＴＲＡＮ）である。ＵＴＲＡＮは、第３世代パートナーシッププロジェクト（３ＧＰＰ（登録商標））によってサポートされる第３世代（３Ｇ）移動体電話機テクノロジーであるユニバーサル移動体電気通信システム（ＵＭＴＳ）の一部として定義された無線アクセスネットワーク（ＲＡＮ）である。多元接続ネットワークフォーマットの例には、コード分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、および、単一搬送波ＦＤＭＡ（ＳＣ−ＦＤＭＡ）ネットワークが含まれる。
【０００３】
［０００１］
ワイヤレス通信ネットワークは、多数のユーザ機器（ＵＥ）に対する通信をサポートできる多数の基地局またはノードＢを含んでいてもよい。ＵＥは、ダウンリンクおよびアップリンクを介して基地局と通信してもよい。ダウンリンク（またはフォワードリンク）は、基地局からＵＥへの通信リンクを指し、アップリンク（またはリバースリンク）は、ＵＥから基地局への通信リンクを指す。
【０００４】
［０００２］
基地局は、ダウンリンク上でＵＥにデータと制御情報を送信してもよく、および／または、アップリンク上でＵＥからデータと制御情報を受信してもよい。ダウンリンク上で、基地局からの送信は、近隣基地局からの、または、他のワイヤレス無線周波数（ＲＦ）送信機からの、送信による干渉に遭遇するかもしれない。
【０００５】
［０００３］
移動体ブロードバンドアクセスに対する需要が増加し続けるにつれて、ワイヤレス通信に対する１つより多くのネットワークまたは無線アクセステクノロジー（ＲＡＴ）の使用がより普及しており、複数のＲＡＴに同時にアクセスする能力を有するデバイスが広く利用可能である。しかしながら、複数のＲＡＴにアクセスするデバイスの能力は、ＲＦリソースに対するコンテンションを生成させ、これは、結果として、異なるＲＡＴ間での競合となる。したがって、リサーチは、複数のＲＡＴを使用する、移動体ブロードバンドアクセスおよび通信の効率的な管理に対する高まる需要を満たすように促進し続けている。
【概要】
【０００６】
［０００３］
本開示の１つの態様では、ワイヤレス通信のための方法が開示される。方法は、単一の無線周波数（ＲＦ）チェーン上でユーザ機器（ＵＥ）が第１の無線アクセステクノロジー（ＲＡＴ）から第２のＲＡＴへのチューンアウェイを実行するチューンアウェイギャップをＵＥによって決定することと、決定されたチューンアウェイギャップの期間を修正するために、ＵＥによって、意図的な偽バッファステータス報告（ＢＳＲ）を送信することとを含む。ＵＥにおいて受信されることになる第１のＲＡＴ上のアップリンクデータ送信のためのアップリンク許可が修正されるように、意図的な偽ＢＳＲは、第１のＲＡＴ上で送信されることになるバッファ中でペンディングであるアップリンクデータの意図的な偽の値を示す。
【０００７】
［０００４］
本開示の別の態様では、ワイヤレス通信装置が開示される。ワイヤレス通信装置は、単一の無線周波数（ＲＦ）チェーン上でユーザ機器（ＵＥ）が第１の無線アクセステクノロジー（ＲＡＴ）から第２のＲＡＴへのチューンアウェイを実行するチューンアウェイギャップをＵＥによって決定する手段と、決定されたチューンアウェイギャップの期間を修正するために、ＵＥによって、意図的な偽バッファステータス報告（ＢＳＲ）を送信する手段とを含む。ＵＥにおいて受信されることになる第１のＲＡＴ上のアップリンクデータ送信のためのアップリンク許可が修正されるように、意図的な偽ＢＳＲは、第１のＲＡＴ上で送信されることになるバッファ中でペンディングであるアップリンクデータの意図的な偽の値を示す。
【０００８】
［０００５］
本開示のさらに別の態様では、ワイヤレス通信のための非一時的コンピュータ読取可能媒体が開示される。非一時的コンピュータ読取可能媒体は、その上に記録されているプログラムコードを有している。プログラムコードは、単一の無線周波数（ＲＦ）チェーン上でユーザ機器（ＵＥ）が第１の無線アクセステクノロジー（ＲＡＴ）から第２のＲＡＴへのチューンアウェイを実行するチューンアウェイギャップをＵＥによって決定するためのプログラムコードと、決定されたチューンアウェイギャップの期間を修正するために、ＵＥによって、意図的な偽バッファステータス報告（ＢＳＲ）を送信するためのプログラムコードとをさらに含む。ＵＥにおいて受信されることになる第１のＲＡＴ上のアップリンクデータ送信のためのアップリンク許可が修正されるように、意図的な偽ＢＳＲは、第１のＲＡＴ上で送信されることになるバッファ中でペンディングであるアップリンクデータの意図的な偽の値を示す。
【０００９】
［０００６］
本開示の追加の態様では、ワイヤレス通信のために構成されている装置が開示される。装置は、少なくとも１つのプロセッサと、少なくとも１つのプロセッサに結合されているメモリとを含む。少なくとも１つのプロセッサは、単一の無線周波数（ＲＦ）チェーン上でユーザ機器（ＵＥ）が第１の無線アクセステクノロジー（ＲＡＴ）から第２のＲＡＴへのチューンアウェイを実行するチューンアウェイギャップをＵＥによって決定し、決定されたチューンアウェイギャップの期間を修正するために、ＵＥによって、意図的な偽バッファステータス報告（ＢＳＲ）を送信するように構成されている。ＵＥにおいて受信されることになる第１のＲＡＴ上のアップリンクデータ送信のためのアップリンク許可が修正されるように、意図的な偽ＢＳＲは、第１のＲＡＴ上で送信されることになるバッファ中でペンディングであるアップリンクデータの意図的な偽の値を示す。
【００１０】
［０００７］
前述のものは、以下の詳細な説明がより良く理解できるように、本願の特徴および技術的利点をどちらかといえば広く概説している。特許請求の範囲の主題を形成する追加の特徴および利点が以下で説明されるだろう。開示される概念および特定の態様が本願の同じ目的を実行する他の構造を修正または設計するためのベースとして容易に利用できることが、当業者によって認識されるべきである。このような均等な構造が本願のおよび添付された特許請求の範囲の精神および範囲から逸脱するものではないということが、当業者によって理解されるべきである。本開示の構成および動作の方法の両方について、態様の特性であると考えられる新規な特徴は、さらなる目的および利点とともに、添付の図面と関連して考慮されるとき、以下の説明からより良く理解されるであろう。しかしながら、図面のそれぞれは例示および説明のためだけに提供されており、本特許請求の範囲の限定の定義として意図されていないということは明確に理解されるべきである。
【図面の簡単な説明】
【００１１】
【図１】［０００８］  図１は、電気通信システムの例を図示したダイヤグラムである。
【図２】［０００９］  図２は、電気通信システムにおけるダウンリンクフレーム構造の例を図示したブロックダイヤグラムである。
【図３】［００１０］  図３は、本開示の１つの態様にしたがって構成されている基地局およびＵＥの設計を図示したブロックダイヤグラムである。
【図４】［００１１］  図４は、本開示の１つの態様にしたがって構成されている、ＵＥが位置付けられているワイヤレスネットワークを図示したダイヤグラムである。
【図５】［００１２］  図５は、本開示の１つの態様を実現するように実行される例示的なブロックを図示した、機能的なブロックダイヤグラムである。
【図６】［００１３］  図６は、本開示の１つの態様を実現するように実行される例示的なブロックを図示した、機能的なブロックダイヤグラムである。
【図７】［００１４］  図７は、本開示の１つの態様を実現するように実行される例示的なブロックを図示した、機能的なブロックダイヤグラムである。
【図８】［００１５］  図８は、本開示の１つの態様を実現するように実行される例示的なブロックを図示した、機能的なブロックダイヤグラムである。
【図９】［００１６］  図９は、本開示の１つの態様にしたがった、通信ネットワークにおけるＵＥの機能的なブロックダイヤグラムである。
【詳細な説明】
【００１２】
［００１７］
添付の図面に関連して以下に述べる詳細な説明は、さまざまなコンフィギュレーションの説明として意図されており、ここで説明される概念を実施することができる唯一のコンフィギュレーションを表すように意図されていない。詳細な説明は、さまざまな概念の完全な理解を提供することを目的として特定の詳細を含んでいる。しかしながら、これらの概念をこれらの特定の詳細なしに実施してもよいことは、当業者に明らかだろう。いくつかの例において、このような概念をあいまいにすることを避けるために、よく知られた構造およびコンポーネントを、ブロックダイヤグラム形態で示している。
【００１３】
［００１８］
ここで説明する技術は、ＣＤＭＡ、ＴＤＭＡ、ＦＤＭＡ、ＯＦＤＭＡ、ＳＣ−ＦＤＭＡおよび他のネットワークのような、さまざまなワイヤレス通信ネットワークに対して使用できる。用語「ネットワーク」および「システム」は、交換可能に使用されることが多い。ＣＤＭＡネットワークは、ユニバーサル地上無線アクセス（ＵＴＲＡ）、ＣＤＭＡ２０００等のような無線テクノロジーを実現してもよい。ＵＴＲＡは、ワイドバンドＣＤＭＡ（ＷＣＤＭＡ（登録商標））や、ＣＤＭＡの他の変形を含む。ＣＤＭＡ２０００は、ＩＳ−２０００、ＩＳ−９５およびＩＳ−８５６標準規格をカバーする。ＴＤＭＡネットワークは、グローバルシステムフォーモバイルコミュニケーション（ＧＳＭ（登録商標））のような無線テクノロジーを実現してもよい。ＯＦＤＭＡネットワークは、進化型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）等のような無線テクノロジーを実現してもよい。ＵＴＲＡおよびＥ−ＵＴＲＡは、ユニバーサル移動体電気通信システム（ＵＭＴＳ）の一部である。３ＧＰＰロングタームエボリューション（ＬＴＥ（登録商標））およびＬＴＥアドバンスト（ＬＴＥ−Ａ）は、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）という名の組織からの文書中で説明されている。ＣＤＭＡ２０００およびＵＭＢは、「第３世代パートナーシッププロジェクト２」（３ＧＰＰ２）という名の組織からの文書中で説明されている。ここで説明する技術は、上述のワイヤレスネットワークおよび無線テクノロジーとともに他のワイヤレスネットワークおよび無線テクノロジーに対して使用してもよい。明確にするために、本技術のある態様は、ＬＴＥに関して以下で説明され、以下の説明の多くにおいてＬＴＥ専門用語を使用している。
【００１４】
［００１９］
図１は、ワイヤレス通信ネットワーク１００を示しており、これは、ＬＴＥネットワークであってもよい。ワイヤレスネットワーク１００は、多数の進化型ノードＢ（ｅＮＢ）１１０および他のネットワークエンティティを含んでいてもよい。ｅＮＢは、ＵＥと通信する局であり、基地局、ノードＢ、アクセスポイント、または、他の用語で呼ばれるかもしれない。各ｅＮＢ１１０ａ、１１０ｂ、１１０ｃは、特定の地理的エリアのための通信カバレッジを提供してもよい。３ＧＰＰにおいて、用語「セル」は、用語が使用される文脈に依存して、ｅＮＢのカバレッジエリア、および／または、このカバレッジエリアを担当しているｅＮＢサブシステムのことを指すことがある。
【００１５】
［００２０］
ｅＮＢは、マクロセル、ピコセル、フェムトセル、および／または、他のタイプのセルに対する通信カバレッジを提供してもよい。マクロセルは、比較的大きい地理エリア（例えば、半径数キロメートル）をカバーし、サービス加入を有するＵＥによる無制限のアクセスを可能にすることができる。ピコセルは、比較的小さい地理エリアをカバーし、サービス加入を有するＵＥによる無制限のアクセスを可能にすることができる。フェムトセルは、比較的小さい地理的エリア（例えば、家）をカバーし、フェムトセルとの関係を有するＵＥ（例えば、閉じられた加入者グループ（ＣＳＧ）内におけるＵＥ、家にいるユーザのためのＵＥ、等）による制限されたアクセスを可能にすることができる。マクロセルのためのｅＮＢは、マクロｅＮＢとして呼ばれることがある。ピコセルのためのｅＮＢは、ピコｅＮＢと呼ばれることがある。フェムトセルのためのｅＮＢは、フェムトｅＮＢまたはホームｅＮＢ（ＨｅＮＢ）と呼ばれることがある。図１中に示す例において、ｅＮＢ１１０ａ、１１０ｂおよび１１０ｃは、それぞれ、マクロセル１０２ａ、１０２ｂおよび１０２ｃに対するマクロｅＮＢであってもよい。ｅＮＢ１１０ｘは、ＵＥ１２０ｘを担当する、ピコセル１０２ｘのためのピコｅＮＢであってもよい。ｅＮＢ１１０ｙおよび１１０ｚは、それぞれフェムトセル１０２ｙおよび１０２ｚのためのフェムトｅＮＢであってもよい。ｅＮＢは、１つまたは複数（例えば、３つ）のセルをサポートすることができる。
【００１６】
［００２１］
ワイヤレスネットワーク１００はまた、中継局１１０ｒも含んでいてもよい。中継局は、アップストリーム局（例えば、ｅＮＢまたはＵＥ）からデータおよび／または他の情報の送信を受信し、ダウンストリーム局（例えば、ＵＥまたはｅＮＢ）にデータおよび／または他の情報の送信を送る局である。中継局はまた、他のＵＥに対する送信を中継するＵＥであってもよい。図１に示す例において、中継局１１０ｒは、ｅＮＢ１１０ａとＵＥ１２０ｒとの間の通信を促進するために、ｅＮＢ１１０ａおよびＵＥ１２０ｒと通信してもよい。中継局はまた、中継ｅＮＢ、中継器等と呼ばれるかもしれない。
【００１７】
［００２２］
ワイヤレスネットワーク１００は、異なるタイプのｅＮＢ、例えば、マクロｅＮＢ、ピコｅＮＢ、フェムトｅＮＢ、中継器等、を含む異種ネットワークであってもよい。これらの異なるタイプのｅＮＢは、ワイヤレスネットワーク１００において、異なる送信電力レベル、異なるカバレッジエリア、および、干渉における異なる影響を有しているかもしれない。例えば、マクロｅＮＢが高い送信電力レベル（例えば、２０ワット）を有していてもよいのに対して、ピコｅＮＢ、フェムトｅＮＢ、および中継器は、より低い送信電力レベル（例えば、１ワット）を有していてもよい。
【００１８】
［００２３］
ワイヤレスネットワーク１００は、同期または非同期動作をサポートしてもよい。同期動作について、ｅＮＢは、同様のフレームタイミングを有してもよく、異なるｅＮＢからの送信は、時間的にほぼ整列されていてもよい。非同期動作について、ｅＮＢは、異なるフレームタイミングを有していてもよく、異なるｅＮＢからの送信は、時間的に整列されていないかもしれない。ここで説明する技術は、同期動作と非同期動作の両方に使用してもよい。
【００１９】
［００２４］
ネットワーク制御装置１３０は、ｅＮＢのセットに結合していてもよく、これらのｅＮＢに対する調整および制御を提供してもよい。ネットワーク制御装置１３０は、バックホールを介してｅＮＢ１１０と通信してもよい。ｅＮＢ１１０はまた、例えば、ワイヤレスまたはワイヤラインバックホールを介して直接的または間接的に互いに通信してもよい。
【００２０】
［００２５］
ＵＥ１２０は、ワイヤレスネットワーク１００全体を通して分散していてもよく、各ＵＥは、静的または移動体であってもよい。ＵＥはまた、端末、移動局、加入者ユニット、局等として呼ばれることがある。ＵＥは、セルラ電話機、パーソナルデジタルアシスタント（ＰＤＡ）、ワイヤレスモデム、ワイヤレス通信デバイス、ハンドヘルドデバイス、ラップトップコンピュータ、コードレス電話機、スマートフォン、タブレット、ワイヤレスローカルループ（ＷＬＬ）局、または他の移動体エンティティであってもよい。ＵＥは、マクロｅＮＢ、ピコｅＮＢ、フェムトｅＮＢ、中継器、または、他のネットワークエンティティと通信できてもよい。図１において、両側矢印の実線は、ＵＥと担当ｅＮＢとの間の所望の送信を示し、担当ｅＮＢは、ダウンリンクおよび／またはアップリンク上でＵＥを担当するように指定されたｅＮＢである。両矢印を有する破線は、ＵＥとｅＮＢとの間の干渉送信を示す。
【００２１】
［００２６］
ＬＴＥは、ダウンリンク上で直交周波数分割多重（ＯＦＤＭ）を利用し、アップリンク上で単一搬送波周波数分割多重（ＳＣ−ＦＤＭ）を利用する。ＯＦＤＭおよびＳＣ−ＦＤＭは、システム帯域幅を複数（Ｋ個）の直交副搬送波に区分してもよく、直交副搬送波は、通常、トーン、ビン等としても呼ばれる。各副搬送波は、データにより変調されてもよい。一般的に、変調シンボルは、ＯＦＤＭにより周波数ドメインで送られ、ＳＣ−ＦＤＭにより時間ドメインで送られる。隣接副搬送波間の間隔は固定されていてもよく、副搬送波の総数（Ｋ個）は、システム帯域幅に依存してもよい。例えば、Ｋは、１．２５、２．５、５、１０、または２０メガヘルツ（ＭＨｚ）のシステム帯域幅に対して、それぞれ、１２８、２５６、５１２、１０２４、または２０４８と等しくてもよい。システム帯域幅はまた、副帯域に区分してもよい。例えば、副帯域は、１．０８ＭＨｚをカバーしてもよく、それぞれ１．２５、２．５、５、１０または２０ＭＨｚのシステム帯域幅について、１、２、４、８または１６の副帯域が存在してもよい。
【００２２】
［００２７］
図２は、ＬＴＥにおいて使用されるダウンリンクフレーム構造を示す。ダウンリンクのための送信タイムラインは、無線フレームのユニットに区分してもよい。各無線フレームは、予め定められている持続期間（例えば、１０ミリ秒（ｍｓ））を有していてもよく、０ないし９のインデックスを有する１０個のサブフレームに区分されてもよい。各サブフレームは、２個のスロットを含んでいてもよい。各無線フレームは、したがって、０ないし１９のインデックスを有する２０個のスロットを含んでいてもよい。各スロットは、Ｌ個のシンボル期間を含んでいてもよく、例えば、（図２中で示しているように）通常のサイクリックプリフィックス（ＣＰ）に対して７個のシンボル期間、または、拡張サイクリックプリフィックスに対して６個のシンボル期間を含んでいてもよい。通常のＣＰと拡張ＣＰは、ここで異なるＣＰタイプとして呼ばれることがある。各サブフレームにおける２Ｌ個のシンボル期間は、０ないし２Ｌ−１のインデックスが割り当てられてもよい。利用可能な時間周波数リソースは、リソースブロックに区分してもよい。各リソースブロックは、１つのスロット中でＮ個の副搬送波（例えば、１２個の副搬送波）をカバーしてもよい。
【００２３】
［００２８］
ＬＴＥにおいて、ｅＮＢは、ｅＮＢ中の各セル対して１次同期信号（ＰＳＳ）および２次同期信号（ＳＳＳ）を送ってもよい。１次および２次同期信号は、図２中で示すように、通常のサイクリックプレフィックスを有する各無線フレームのサブフレーム０および５のそれぞれにおけるシンボル期間６および５中で、それぞれ、送られてもよい。同期信号は、セル検出および獲得のために、ＵＥによって使用されてもよい。ｅＮＢは、サブフレーム０のスロット１中のシンボル期間０から３において物理ブロードキャストチャネル（ＰＢＣＨ）を送ってもよい。ＰＢＣＨは、ある特定のシステム情報を搬送してもよい。
【００２４】
［００２９］
図２では、第１のシンボル期間全体において描かれているが、ｅＮＢは、各サブフレームの第１のシンボル期間の一部のみにおいて物理制御フォーマットインジケータチャネル（ＰＣＦＩＣＨ）を送ってもよい。ＰＣＦＩＣＨは、制御チャネルに対して使用されるシンボル期間の数（Ｍ個）を伝えてもよく、ここで、Ｍは、１、２または３と等しくてもよく、サブフレーム毎に変化してもよい。Ｍはまた、例えば、１０個未満のリソースブロックを有する小さなシステム帯域幅に対して、４と等しくてもよい。図２中で示す例では、Ｍ＝３である。ｅＮＢは、各サブフレームの最初のＭ個のシンボル期間において（図２においてＭ＝３）、物理ＨＡＲＱインジケータチャネル（ＰＨＩＣＨ）と物理ダウンリンク制御チャネル（ＰＤＣＣＨ）を送ってもよい。ＰＨＩＣＨは、ハイブリッド自動再送信（ＨＡＲＱ）をサポートするための情報を搬送してもよい。ＰＤＣＣＨは、ＵＥのためのリソース割り振りに関する情報とダウンリンクチャネルに対する制御情報とを搬送してもよい。図２における第１のシンボル期間には示していないが、ＰＤＣＣＨおよびＰＨＩＣＨもまた、第１のシンボル期間に含まれることを理解すべきである。同様に、ＰＨＩＣＨおよびＰＤＣＣＨはまた、図２ではそのようには示していないが、第２および第３のシンボル期間の両方にある。ｅＮＢは、各サブフレームの残りのシンボル期間において、物理ダウンリンク共有チャネル（ＰＤＳＣＨ）を送ってもよい。ＰＤＳＣＨは、ダウンリンク上でのデータ送信のためにスケジュールされたＵＥのためのデータを搬送してもよい。ＬＴＥ中のさまざまな信号およびチャネルは、「進化型ユニバーサル地上無線アクセス（Ｅ−ＵＴＲＡ）；物理チャネルおよび変調」と題される、３ＧＰＰ  ＴＳ  ３６．２１１において説明されており、これは公に入手可能である。
【００２５】
［００３０］
ｅＮＢは、ｅＮＢによって使用されるシステム帯域幅の中心である１．０８ＭＨｚにおいて、ＰＳＳ、ＳＳＳおよびＰＢＣＨを送ってもよい。ｅＮＢは、これらのチャネルが送られる各シンボル期間において、システム帯域幅全体に渡って、ＰＣＦＩＣＨおよびＰＨＩＣＨを送ってもよい。ｅＮＢは、システム帯域幅のある一部分において、ＵＥのグループにＰＤＣＣＨを送ってもよい。ｅＮＢは、システム帯域幅の特定の部分において、特定のＵＥにＰＤＳＣＨを送ってもよい。ｅＮＢは、すべてのＵＥに対してブロードキャスト方法でＰＳＳ、ＳＳＳ、ＰＢＣＨ、ＰＣＦＩＣＨおよびＰＨＩＣＨを送ってもよく、特定のＵＥに対してユニキャスト方法でＰＤＣＣＨを送ってもよく、特定のＵＥに対してユニキャスト方法でＰＤＳＣＨも送ってもよい。
【００２６】
［００３１］
多数のリソースエレメントが各シンボル期間において利用可能であってもよい。各リソースエレメントは、１つのシンボル期間中の１つの副搬送波をカバーしてもよく、１つの変調シンボルを送るために使用してもよく、変調シンボルは、実数値であっても、または、複素数値であってもよい。各シンボル期間における基準信号に対して使用しないリソースエレメントは、リソースエレメントグループ（ＲＥＧ）中に配置してもよい。各ＲＥＧは、１つのシンボル期間中に４つのリソースエレメントを含んでいてもよい。ＰＣＦＩＣＨは、４つのＲＥＧを占有してもよく、それらは、シンボル期間０において、周波数に渡ってほぼ均等に間隔が空けられていてもよい。ＰＨＩＣＨは、３つのＲＥＧを占有してもよく、それらは、１つ以上の構成可能なシンボル期間において、周波数に渡って拡散させてもよい。例えば、ＰＨＩＣＨに対する３つのＲＥＧは、すべてシンボル期間０に属してもよく、または、シンボル期間０、１および２において拡散させてもよい。ＰＤＣＣＨは、９、１８、３２または６４個のＲＥＧを占有してもよく、これらは、最初のＭ個のシンボル期間において、利用可能なＲＥＧから選択してもよい。ＲＥＧのある組み合わせのみを、ＰＤＣＣＨに対して許可してもよい。
【００２７】
［００３２］
ＵＥは、ＰＨＩＣＨおよびＰＣＦＩＣＨに対して使用される特定のＲＥＧを知っていてもよい。ＵＥは、ＰＤＣＣＨに対するＲＥＧの異なる組み合わせをサーチしてもよい。サーチする組み合わせの数は典型的に、ＰＤＣＣＨに対する許容された組み合わせの数よりも少ない。ｅＮＢは、ＵＥがサーチするであろう組み合わせの任意のものにおいてＰＤＣＣＨをＵＥに送ってもよい。
【００２８】
［００３３］
ＵＥは、複数のｅＮＢのカバレッジ内にあってもよい。これらのｅＮＢのうちの１つが、ＵＥを担当するように選択されてもよい。担当ｅＮＢは、受信電力、パス損失、信号対雑音比（ＳＮＲ）、等のようなさまざまな基準に基づいて選択してもよい。
【００２９】
［００３４］
図３は、基地局／ｅＮＢ１１０とＵＥ１２０との設計のブロックダイヤグラムを示しており、基地局／ｅＮＢ１１０とＵＥ１２０は、図１中の基地局／ｅＮＢのうちの１つとＵＥのうちの１つとであってもよい。制限された関係付けシナリオでは、基地局１１０は、図１におけるマクロｅＮＢ１１０ｃであってもよく、ＵＥ１２０は、ＵＥ１２０ｙであってもよい。基地局１１０はまた、他の何らかのタイプの基地局であってもよい。基地局１１０はアンテナ３３４ａ〜３３４ｔを装備していてもよく、ＵＥ１２０はアンテナ３５２ａ〜３５２ｒを装備していてもよい。
【００３０】
［００３５］
基地局１１０において、送信プロセッサ３２０は、データソース３１２からデータを、制御装置／プロセッサ３４０から制御情報を受け取ってもよい。制御情報は、ＰＢＣＨ、ＰＣＦＩＣＨ、ＰＨＩＣＨ、ＰＤＣＣＨ等に対するものであってもよい。データは、ＰＤＳＣＨ等に対するものであってもよい。プロセッサ３２０は、データおよび制御情報を処理（たとえば、エンコードおよびシンボルマッピング）して、それぞれ、データシンボルおよび制御シンボルを取得してもよい。プロセッサ３２０はまた、例えば、ＰＳＳ、ＳＳＳに対する基準シンボルと、セル特有の基準信号とを発生させてもよい。送信（ＴＸ）複数入力複数出力（ＭＩＭＯ）プロセッサ３３０は、適用可能な場合に、データシンボル、制御シンボル、および／または、基準シンボル上で、空間処理（例えば、プリコーディング）を実行してもよく、変調器（ＭＯＤ）３３２ａ〜３３２ｔに出力シンボルストリームを提供してもよい。各変調器３３２は、（例えば、ＯＦＤＭ等のために）それぞれの出力シンボルストリームを処理して、出力サンプルストリームを取得してもよい。各変調器３３２はさらに、出力サンプルストリームを処理（例えば、アナログに変換、増幅、フィルタリング、およびアップコンバート）して、ダウンリンク信号を取得してもよい。変調器３３２ａ〜３３２ｔからのダウンリンク信号はそれぞれ、アンテナ３３４ａ〜３３４ｔ介して送信されてもよい。
【００３１】
［００３６］
ＵＥ１２０において、アンテナ３５２ａ〜３５２ｒは、基地局１１０からダウンリンク信号を受信し、受信した信号を、それぞれ、復調器（ＤＥＭＯＤ）３５４ａ〜３５４ｒに提供してもよい。各復調器３５４は、それぞれの受信した信号を調整（たとえば、フィルタリング、増幅、ダウンコンバート、およびデジタル化）して、入力サンプルを取得してもよい。各復調器３５４はさらに、（例えば、ＯＦＤＭ等のために）入力サンプルを処理して、受信シンボルを取得してもよい。ＭＩＭＯ検出器３５６は、すべての復調器３５４ａ〜３５４ｒから受信したシンボルを取得し、適用可能な場合、受信したシンボルにおいてＭＩＭＯ検出を実行し、検出したシンボルを提供してもよい。受信プロセッサ３５８は、検出したシンボルを処理（たとえば、復調、デインタリーブ、およびデコード）し、ＵＥ１２０のためにデコードされたデータをデータシンク３６０に供給し、デコードされた制御情報を制御装置／プロセッサ３８０に提供してもよい。
【００３２】
［００３７］
アップリンク上で、ＵＥ１２０において、送信プロセッサ３６４は、データソース３６２から（例えば、ＰＵＳＣＨに対する）データを、および、制御装置／プロセッサ３８０から（例えば、ＰＵＣＣＨに対する）制御情報を、受け取って処理してもよい。プロセッサ３６４はまた、基準信号のための基準シンボルを発生させてもよい。送信プロセッサ３６４からのシンボルは、適用可能な場合、ＴＸ  ＭＩＭＯプロセッサ３６６によってプリコーディングされ、（例えば、ＳＣ−ＦＤＭ、等のために）復調器３５４ａ〜３５４ｒによってさらに処理され、基地局１１０に送信されてもよい。基地局１１０において、ＵＥ１２０からのアップリンク信号はアンテナ３３４によって受信され、復調器３３２によって処理され、適用可能な場合、ＭＩＭＯ検出器３３６によって検出され、受信プロセッサ３３８によってさらに処理され、ＵＥ１２０によって送られた、デコードされたデータおよび制御情報を取得してもよい。プロセッサ３３８は、デコードされたデータをデータシンク３３９に提供し、デコードされた制御情報を制御装置／プロセッサ３４０に提供してもよい。
【００３３】
［００３８］
制御装置／プロセッサ３４０および３８０は、それぞれ、基地局１１０およびＵＥ１２０における動作を指示してもよい。プロセッサ３４０、ならびに／あるいは、基地局１１０における他のプロセッサおよびモジュールは、ここで説明する技術のためのさまざまなプロセスの実行を実施または指示してもよい。プロセッサ３８０、ならびに／あるいは、ＵＥ１２０における他のプロセッサおよびモジュールは、図４および５中に図示した機能性ブロックの実行を、ならびに／あるいは、ここで記述した技術に対する他のプロセスを、実施または指示してもよい。メモリ３４２および３８２は、それぞれ、基地局１１０およびＵＥ１２０のためのデータおよびプログラムコードを記憶してもよい。スケジューラ３４４は、ダウンリンクおよび／またはアップリンク上でのデータ送信のためにＵＥをスケジューリングしてもよい。
【００３４】
［００３９］
１つのコンフィギュレーションでは、ワイヤレス通信のためのＵＥ１２０は、ＵＥの接続モードの間に、干渉する基地局からの干渉を検出する手段と、干渉する基地局の発生リソースを選択する手段と、発生リソース上の物理ダウンリンク制御チャネルのエラーレートを取得する手段と、誤りレートが予め定められたレベルを超えたことに応答して実行可能な、無線リンク障害を宣言する手段とを含む。１つの態様において、前述の手段は、前述の手段によって規定された機能を実行するように構成されている、プロセッサ、制御装置／プロセッサ３８０、メモリ３８２、受信プロセッサ３５８、ＭＩＭＯ検出器３５６、復調器３５４ａ、およびアンテナ３５２ａであってもよい。別の態様において、前述の手段は、前述の手段によって規定された機能を実行するように構成されているモジュールまたは任意の装置であってもよい。
【００３５】
［００４０］
図４は、本開示の１つの態様にしたがって構成される、ＵＥ４０８が位置付けられているワイヤレスネットワーク４００を図示するダイヤグラムである。ワイヤレスネットワーク４００は、ＵＥ４０８へのワイヤレスネットワーク全体に渡って複数の無線アクセステクノロジー（ＲＡＴ）を提供してもよい。例えば、基地局４０２は、ＬＴＥ／ＬＴＥ−Ａを使用して、ワイヤレスネットワーク４００にアクセスを提供してもよい一方で、基地局４０４および４０６は、ＣＤＭＡ、ＧＳＭ、ＷＣＤＭＡ、時分割同期コード分割多元接続（ＴＤ−ＳＣＤＭＡ）、他のＵＴＲＡまたはＥ−ＵＴＲＡテクノロジー、ＩＥＥＥ８０２．１１（Ｗｉ−Ｆｉ）、ＩＥＥＥ８０２．１６（ＷｉＭＡＸ）、ＩＥＥＥ８０２．２０、ブロードキャストテクノロジー、グローバルポジショニングテクノロジー等のような他のＲＡＴを使用して、ワイヤレスネットワーク４００にアクセスを提供してもよい。混合ＲＡＴの配備は、移動体オペレータが異なるサービスを異なるテクノロジーを有するＵＥ４０８に提供できるようにしてもよい。例えば、より高いデータ送信レートを要求するデータは、ＬＴＥ上で送信されてもよいが、音声通話は、ＧＳＭ上で行われてもよい。
【００３６】
［００４１］
ＵＥ４０８は、複数のＲＡＴを使用することができるワイヤレスデバイスであってもよい。例えば、ＵＥ４０８は、デュアルＳＩＭデュアルスタンバイ（ＤＳＤＳ）デバイス、トリプルＳＩＭトリプルスタンバイ（ＴＳＴＳ）デバイス、または、より多くの加入者識別モジュールを有するデバイスであってもよい（以下ひとまとめに「マルチＳＩＭデバイス」と呼ぶ）。例えば、マルチＳＩＭデバイスは、ＧＳＭ音声およびＬＴＥデータサービスの両方をサポートしてもよく、一般的にＳＶＬＴＥデバイスとして呼ばれることがある。
【００３７】
［００４２］
マルチＳＩＭデバイスは、無線周波数（ＲＦ）リソースのその取り扱い能力により、さらにカテゴリ分けされてもよい。例えば、マルチＳＩＭデバイスは、同時に複数のＲＡＴを使用してワイヤレスネットワークにアクセスできるようにする複数のＲＦチェーンを有していてもよい（「マルチ無線マルチＳＩＭデバイス」）。さらなる例として、マルチＳＩＭデバイスは、所定の時間期間の間に複数のＲＡＴのうちの１つを使用してワイヤレスネットワークにアクセスするための単一のＲＦチェーンを有していてもよい（「単一無線マルチＳＩＭデバイス」）。
【００３８】
［００４３］
マルチ無線マルチＳＩＭデバイスのＲＦリソースは、異なるＲＡＴによって共有されてもよい。しかしながら、複数のＲＡＴの共存により、帯域干渉が生じるかもしれないが、周波数割り振りを計画することにより解決されるかもしれない。単一無線マルチＳＩＭデバイスに関して、異なるＲＡＴ間／中で競合が生じるときに、ＲＦリソースを取得するために、異なるＲＡＴが互いに競争するかもしれない。例えば、単一無線マルチＳＩＭデバイスがＬＴＥからＧＳＭにチューンアウェイするチューンアウェイギャップとＬＴＥ上のデータ送信が競合する場合、チューンアウェイギャップの間のＬＴＥ上のデータ送信は、全体的にまたは部分的に失敗するかもしれない。結果として、チューンアウェイギャップの間にＬＴＥ上で送信されることになるようにスケジューリングされたデータに対する大きなデータ再送信が要求されるかもしれない。さらに、チューンアウェイギャップの間のアップリンクデータ送信のこのような悪い性能により、ワイヤレスネットワークは、単一無線マルチＳＩＭデバイスが悪いアップリンク接続を有していると決定するかもしれず、チューンアウェイギャップの後に、単一無線マルチＳＩＭデバイスに対して、より少ないアップリンクリソースをスケジューリングするかもしれない。
【００３９】
［００４４］
マルチＳＩＭデバイスは、所定の期間の大部分に対して第１のＲＡＴ上でアクティブセッションを有する一方で、第２のＲＡＴまたは他のＲＡＴはアイドルステータスであってもよい。第１のＲＡＴ上の加入に加えて、マルチＳＩＭデバイスは１つ以上の加入を有することから、マルチＳＩＭデバイスは、ＲＦリソースを利用するために、このような追加の加入を周期的に許容してもよい。例えば、マルチＳＩＭデバイスは、第２のＲＡＴまたは他のＲＡＴからの、信号を周期的に監視し、および／または、接続を獲得してもよい。このような動作は、「チューンアウェイ」として呼ばれることがある。マルチＳＩＭデバイスが第１のＲＡＴから第２のＲＡＴまたは他のＲＡＴへのチューンアウェイを実行する期間は、「チューンアウェイギャップ」として呼ばれることがある。しかしながら、チューンアウェイギャップは、ワイヤレスネットワークによって最初に決定され、割り当てられるかもしれない。上記で図示したように、第１のＲＡＴ上のデータ送信と第２のＲＡＴまたは他のＲＡＴに対するチューンアウェイとの間の競合は、アップリンク送信の性能および効率に影響を及ぼすかもしれない。したがって、チューンアウェイの動作における改善が有益であるかもしれない。
【００４０】
［００４５］
本開示のさまざまな態様は、意図的な偽バッファステータス報告（ＢＳＲ）をワイヤレスネットワーク中の基地局に送信することにより、第１のＲＡＴから第２のＲＡＴまたは他のＲＡＴへのチューンアウェイギャップをＵＥが修正してもよいことを提供する。本開示のこれらの態様は、チューンアウェイギャップの間の第１のＲＡＴ上のデータ送信を回避するまたは最小化するために有益であるかもしれない。ＢＳＲは、バッファペンディング送信中のデータを示す、ＵＥからの報告である。意図的な偽ＢＳＲは、ＵＥのバッファ中でペンディングであるデータの意図的な偽の値を示す。本開示のいくつかの態様では、チューンアウェイギャップが拡大されてもよい。本開示の他の態様では、チューンアウェイギャップは短縮されてもよい。本開示のさらに他の態様では、チューンアウェイギャップは、イネーブル／生成／選択されてもよい。明確にするために、以下で説明するＵＥは、２つのＲＡＴで動作することができるＤＳＤＳ  ＵＥである。本開示のさまざまな態様は、実際には、ＤＳＤＳ  ＵＥに限定されないことに留意すべきである。
【００４１】
［００４６］
図５は、チューンアウェイギャップが拡大されてもよい、本開示の１つの態様を実現するように実行される例示的なブロックを図示した機能的ブロックダイヤグラム５００である。動作５０６において、ネットワーク５０４は、チューンアウェイギャップをＵＥ５０２に割り当ててもよく、チューンアウェイギャップにおいて、ＵＥ５０２は、第１のＲＡＴから第２のＲＡＴにチューンアウェイしてもよい。例えば、ＵＥ５０２は、ＬＴＥからＧＳＭにチューンアウェイしてもよい。ＵＥ５０２は、チューンアウェイギャップの間、第２のＲＡＴからのページおよび他の信号を監視してもよく、第２のＲＡＴとの接続を獲得しても、獲得しなくてもよい。ネットワーク５０４は、チューンアウェイギャップの間、データスケジューリングを中止してもよい。例えば、第１のＲＡＴ上のアップリンク送信のためのアップリンク許可も中止されてもよい。さらに、第１のＲＡＴ上のダウンリンク送信のためのダウンリンク許可が中止されてもよい。アップリンクおよび／またはダウンリンク送信のためのアップリンクおよび／またはダウンリンク許可における中止は、ＵＥ５０２からのスケジューリング要求（ＳＲ）によって後に解かれてもよい。ＵＥ５０２は、ネットワーク５０４によるギャップの割り当てに基づいて、チューンアウェイギャップの期間を決定してもよい。動作５０８において、ＵＥ５０２は、チューンアウェイギャップの終了５１０まで、第２のＲＡＴと通信してもよい。
【００４２】
［００４７］
チューンアウェイギャップの終了５１０において、またはその後に、ＵＥ５０２は、意図的な偽ＢＳＲをネットワーク５０４に送ってもよく、ＵＥ５０２は、ネットワーク５０４に送信されることになる、ＵＥ５０２のバッファ中でペンディングであるデータの意図的な偽の値をネットワーク５０４に提供してもよい。いくつかの実施形態では、意図的な偽ＢＳＲは、チューンアウェイギャップの後に送信されることになるバッファ中でペンディングであるデータの減少された値を示してもよい。いくつかの実施形態では、意図的な偽ＢＳＲは、チューンアウェイギャップの後にバッファ中でペンディングであるデータがないことを示してもよい。さらに、ＵＥ５０２は、意図的な偽ＢＳＲを送信するためのアップリンク許可を要求するＳＲをネットワーク５０４に送信してもよい。このように、意図的な偽ＢＳＲを送信するためのＳＲの送信は、意図的な偽ＢＳＲの送信の前に生じてもよい。
【００４３】
［００４８］
それに応答して、動作５１４において、チューンアウェイギャップ５１０の終了の後に第１のＲＡＴ上で送信される必要があるアップリンクデータがないまたは少ないとことがネットワーク５０４に通知されることから、ネットワーク５０４はチューンアウェイギャップを拡大してもよい。ネットワーク５０４は、チューンアウェイギャップを拡大するために、第１のＲＡＴ上のアップリンク送信のためのアップリンク許可の中止を延長してもよい。ネットワーク５０４は、第１のＲＡＴ上のダウンリンク送信のためのダウンリンク許可の中止も延長してもよい。さらに、ネットワーク５０４は、アップリンクおよび／またはダウンリンクデータ送信のためのアップリンク許可および／またはダウンリンク許可の中止の間、意図的な偽ＢＳＲを送信するためのアップリンク許可で、ＵＥ５０２からのＳＲに応答してもよい。
【００４４】
［００４９］
いくつかの実施形態では、チューンアウェイギャップは、６ミリ秒から６００ミリ秒に拡大されてもよい。したがって、チューンアウェイギャップの間、送信が完全にまたは少なくとも部分的に中止されることから、第１のＲＡＴから第２のＲＡＴへのチューンアウェイと、チューンアウェイギャップの間の第１のＲＡＴ上のアップリンクおよび／またはダウンリンク送信との間の競合は、最小化されまたは回避することができる。アップリンクおよび／またはダウンリンク送信のためのアップリンクおよび／またはダウンリンク許可における延長された中止はまた、ＵＥ５０２からのＳＲによって後に解かれてもよい。
【００４５】
［００５０］
動作５１６において、ＵＥ５０２は、拡大されたチューンアウェイギャップの間、第２のＲＡＴとの通信を継続してもよい。その後、ＵＥ５０２は、第２のＲＡＴとの通信を終了してもよい。（ブロック５１８によって示されている）第２のＲＡＴとの通信の終了において、または通信の終了の後、ＵＥ５０２は、真ＢＳＲをネットワーク５０４に送ってもよく、ＵＥ５０２は、ＵＥ５０２のバッファ中でペンディングであるデータの正しい値をネットワーク５０４に提供してもよい。さらに、ＵＥ５０２は、真ＢＳＲを送信するためのアップリンク許可を要求するＳＲをネットワーク５０４に送信してもよい。このように、真ＢＳＲを送信するためのＳＲの送信は、真ＢＳＲの送信の前に生じてもよい。
【００４６】
［００５１］
それに応答して、動作５２２において、ネットワーク５０４は、アップリンクおよび／またはダウンリンクデータ送信のためのアップリンクおよび／またはダウンリンク許可における中止を解き、データスケジューリングを再開してもよい。したがって、第１のＲＡＴ上のアップリンクおよび／またはダウンリンク送信が回復されてもよい。さらに、ネットワーク５０４は、アップリンクおよび／またはダウンリンクデータ送信のためのアップリンクおよび／またはダウンリンク許可における中止を解く前に、真ＢＳＲを送信するためのアップリンク許可で、ＵＥ５０２からのＳＲに応答してもよい。
【００４７】
［００５２］
図６は、チューンアウェイギャップが短縮されてもよい、本開示の１つの態様を実現するように実行される例示的なブロックを図示した機能的なブロックダイヤグラム６００である。動作６０６において、ネットワーク６０４は、チューンアウェイギャップをＵＥ６０２に割り当ててもよく、チューンアウェイギャップにおいて、ＵＥ６０２は、第１のＲＡＴから第２のＲＡＴにチューンアウェイしてもよい。例えば、ＵＥ６０２は、ＬＴＥからＧＳＭに、ＬＴＥからＴＤ−ＳＣＤＭＡに、ＷｉＭＡＸからＧＳＭに等でチューンアウェイしてもよい。ＵＥ６０２は、チューンアウェイギャップの間、第２のＲＡＴからのページおよび他の信号を監視してもよく、第２のＲＡＴとの接続を獲得しても、獲得しなくてもよい。ネットワーク６０４は、チューンアウェイギャップの間、データスケジューリングを中止してもよい。例えば、第１のＲＡＴ上のアップリンク送信のためのアップリンク許可が中止されてもよい。さらに、第１のＲＡＴ上のダウンリンク送信のためのダウンリンク許可も中止されてもよい。アップリンクおよび／またはダウンリンク送信のためのアップリンクおよび／またはダウンリンク許可における中止は、ＵＥ６０２からのＳＲによって後に解かれてもよい。それに応答して、ＵＥ６０２は、ネットワーク６０４によるチューンアウェイギャップの割り当てに基づいて、チューンアウェイギャップの期間を決定してもよい。動作６０８において、ＵＥ６０２は、（ブロック６１０によって示されている）第２のＲＡＴとの通信の終了まで、第２のＲＡＴと通信してもよい。
【００４８】
［００５３］
動作６０６から６０８は、図５中で図示したような動作５０６から５０８に類似している。しかしながら、意図的な偽ＢＳＲを送ることによりチューンアウェイギャップを拡大する代わりに、動作６１２において、ＵＥ６０２は、最初に割り当てられたチューンアウェイギャップの終了の前に、チューンアウェイギャップを短縮するために、真ＢＳＲをネットワーク６０４に送ってもよい。いくつかの実施形態では、チューンアウェイギャップは、完全に閉じられてもよい。チューンアウェイギャップを短縮する理由は、第２のＲＡＴからの信号を監視するために要求されるより短い期間に一致させること、第１のＲＡＴ上で送信されることになるペンディングであるより多くのデータを有すること、または、第１のＲＡＴ上で送信されることになるペンディングである緊急データを有することを含んでいてもよいが、これらに限定されない。チューンアウェイギャップは、第１のＲＡＴが第５世代（５Ｇ）ワイヤレス通信テクノロジーのような高度なワイヤレス通信テクノロジーであるときに、短縮されてもよい。さらに、ＵＥ６０２は、真ＢＳＲを送信するためのアップリンク許可を要求するＳＲをネットワーク６０４に送信してもよい。このように、真ＢＳＲを送信するためのＳＲの送信は、真ＢＳＲの送信の前に生じてもよい。
【００４９】
［００５４］
それに応答して、動作６１４において、ネットワーク６０４は、アップリンクおよび／またはダウンリンク送信のためのアップリンクおよび／またはダウンリンク許可における中止を解き、データスケジューリングを再開してもよい。したがって、第１のＲＡＴ上のアップリンクおよび／またはダウンリンク送信が回復されてもよい。さらに、ネットワーク６０４は、アップリンクおよび／またはダウンリンクデータ送信のためのアップリンクおよび／またはダウンリンク許可における中止を解く前に、真ＢＳＲを送信するためのアップリンク許可で、ＵＥ６０２からのＳＲに応答してもよい。
【００５０】
［００５５］
図７は、チューンアウェイギャップがイネーブル／生成されてもよい、本開示の１つの態様を実現するように実行される例示的なブロックを図示した機能的なブロックダイヤグラム７００である。動作７０６において、ＵＥ７０２は、意図的な偽ＢＳＲをネットワーク７０４に送ってもよく、ＵＥ７０２は、ネットワーク７０４に送信されることになる、ＵＥ７０２のバッファ中でペンディングであるデータの意図的な偽の値をネットワーク７０４に提供してもよい。いくつかの実施形態では、意図的な偽ＢＳＲは、バッファ中でペンディングであるデータの減少された値を示してもよい。いくつかの実施形態では、意図的な偽ＢＳＲは、バッファ中でペンディングであるデータがないことを示してもよい。それに応答して、動作７０８において、ネットワーク７０４は、第２のＲＡＴと通信するために、ＵＥ７０２に対する第１のＲＡＴ上のデータスケジューリングを中止してもよい。例えば、ネットワーク７０４は、アップリンク送信のためのアップリンク許可を中止してもよい。さらに、ネットワーク７０４は、ダウンリンク送信のためのダウンリンク許可を中止してもよい。したがって、チューンアウェイギャップがイネーブル／生成されてもよい。動作７０６から７０８は、上記で説明したような図５中の動作５０６および図６中の動作６０６とともに利用してもよい。
【００５１】
［００５６］
いくつかの実施形態では、ＬＴＥまたはＬＴＥ−Ａのような高度なワイヤレス通信テクノロジーの下で、１つのチューンアウェイギャップは、意図的な偽ＢＳＲに基づいて、異なる期間を有する複数のチューンアウェイギャップから選択してもよい。複数のチューンアウェイギャップは、ネットワーク７０４によって予め定められていてもよい。ＵＥ７０２のバッファ中でペンディングであるデータの異なる意図的な偽の値を有する異なる意図的な偽ＢＳＲを送信することにより、ＵＥ７０２は、異なるチューンアウェイギャップを選択してもよい。したがって、ネットワーク７０４が第１のＲＡＴ上のデータスケジューリングを中止してもよい時間期間は、意図的な偽ＢＳＲと選択されたチューンアウェイギャップとに依存する。
【００５２】
［００５７］
チューンアウェイギャップがイネーブル／生成されると、動作７１０において、ＵＥ７０２は、チューンアウェイギャップの間、第２のＲＡＴと通信してもよく、その後、ＵＥ７０２は、第２のＲＡＴとの通信を終了してもよい。上記で説明したように、チューンアウェイギャップの間、送信が完全にまたは少なくとも部分的に中止されていることから、第１のＲＡＴから第２のＲＡＴへのチューンアウェイと、チューンアウェイギャップの間の第１のＲＡＴ上のアップリンクおよび／またはダウンリンク送信との間の競合は、最小化されるまたは回避することができる。
【００５３】
［００５８］
（ブロック７１２によって示されている）第２のＲＡＴとの通信の終了において、または、第２のＲＡＴとの通信の終了の後、動作７１４において、ＵＥ７０２は、真ＢＳＲをネットワーク７０２に送ってもよく、ＵＥ７０２は、ＵＥ７０２のバッファ中でペンディングであるデータの正しい値をネットワーク７０４に提供してもよい。さらに、ＵＥ７０２は、真ＢＳＲを送信するためのアップリンク許可を要求するＳＲをネットワーク７０４に送信してもよい。このように、真ＢＳＲを送信するためのＳＲの送信は、真ＢＳＲの送信の前に生じてもよい。それに応答して、動作７１６において、ネットワーク７０４は、アップリンクおよび／またはダウンリンク送信のためのアップリンクおよび／またはダウンリンク許可における中止を解き、データスケジューリングを再開してもよい。したがって、第１のＲＡＴ上のアップリンクおよび／またはダウンリンク送信が回復されてもよい。さらに、ネットワーク７０４は、アップリンクおよび／またはダウンリンクデータ送信のためのアップリンクおよび／またはダウンリンク許可における中止を解く前に、真ＢＳＲを送信するためのアップリンク許可で、ＵＥ７０２からのＳＲに応答してもよい。
【００５４】
［００５９］
図８は、本開示の１つの態様を実現するように実行される例示的なブロックを図示した機能的なブロックダイヤグラム８００である。ブロック８０２において、ＵＥが単一のＲＦチェーン上で第１のＲＡＴから第２のＲＡＴへのチューンアウェイを実行するチューンアウェイギャップをＵＥが決定してもよい。チューンアウェイギャップの間、ＵＥは、単一のＲＦリソースを利用して、第２のＲＡＴからのページまたは信号上の測定を監視または実行してもよい。ブロック８０４において、意図的な偽ＢＳＲを送信することによって決定されたチューンアウェイギャップの期間を修正するために、ＵＥは、意図的な偽ＢＳＲを送信してもよい。このような意図的な偽ＢＳＲは、決定されたチューンアウェイギャップにＵＥが入った後に、送信されてもよい。意図的な偽ＢＳＲは、バッファ中でペンディングであるデータの減少された値またはバッファ中でペンディングであるデータがないことのような、ＵＥのバッファ中でペンディングであるデータの意図的な偽の値をネットワークに通知してもよい。したがって、ネットワークは、第１のＲＡＴ上のアップリンクデータ送信のためのアップリンク許可を中止または減少させてもよい。対応して、ＵＥは、修正されたアップリンク許可を受信してもよい。結果として、修正されたチューンアウェイギャップの間の第１のＲＡＴ上のアップリンク送信は、完全にまたは少なくとも部分的に中止され、したがって、修正されたチューンアウェイギャップの間の第１のＲＡＴ上のアップリンク送信と、第１のＲＡＴから第２のＲＡＴへのチューンアウェイ動作との間の競合は、回避されるまたは少なくとも最小化することができる。
【００５５】
［００６０］
本開示のいくつかの態様では、ＵＥは、真ＢＳＲを送ってもよく、ＵＥは、ＵＥのバッファ中でペンディングであるデータの正しい値をネットワークに提供してもよい。真ＢＳＲは、修正されたチューンアウェイギャップの間または修正されたチューンアウェイギャップの終了において、ネットワークに送られてもよい。それに応答して、ネットワークは、アップリンクデータ送信のためのアップリンク許可における中止を解き、データスケジューリングを再開してもよい。したがって、第１のＲＡＴ上のアップリンク送信は回復されてもよい。修正されたチューンアウェイギャップの間に真ＢＳＲがネットワークに送られる場合、修正されたチューンアウェイギャップは短縮されてもよい。それに対応して、第１のＲＡＴ上のアップリンク送信はより早く回復されてもよい。
【００５６】
［００６１］
本開示の他の態様では、次のチューンアウェイギャップをイネーブル／生成させるために、回復されている第１のＲＡＴ上のアップリンク送信の後に、ＵＥはさらに、追加の意図的な偽ＢＳＲを送ってもよい。図７に関して上記で説明したように、１つのチューンアウェイギャップは、追加の意図的な偽ＢＳＲに基づいて、異なる期間を有する複数のチューンアウェイギャップから選択してもよい。ＵＥのバッファ中でペンディングであるデータの異なる意図的な偽の値を有する異なる意図的な偽ＢＳＲを送信することにより、ＵＥは、異なるチューンアウェイギャップを選択してもよい。
【００５７】
［００６２］
図９は、本開示の１つの態様にしたがう通信ネットワーク中のＵＥ９００の機能的なブロックダイヤグラムである。ＵＥ９００は、ギャップ決定モジュール９０２およびバッファステータス報告モジュール９０４の実行のためのデータとプログラムコードを記憶できるメモリ９０８を含んでいてもよく、送信されることになるペンディングであるデータを記憶するバッファ９０６を含んでいてもよい。ギャップ決定モジュール９０２は、（図９中で示していない）ネットワークによって割り当てられるチューンアウェイギャップの期間または長さを最初に決定するために使用してもよい。バッファステータス報告モジュール９０４は、最初に割り当てられるチューンアウェイギャップの期間を修正するために、図５〜８に関して上記で説明したように、真または意図的な偽ＢＳＲを決定および発行するために使用してもよい。真ＢＳＲは、送信されることになるバッファ９０６中でペンディングであるデータの正しい値を示してもよく、第１のＲＡＴから第２のＲＡＴへのチューンアウェイの後に、第１のＲＡＴ上でアップリンク送信を再開するために使用してもよい。意図的な偽ＢＳＲは、送信されることになるバッファ９０６中でペンディングであるデータの意図的な偽の値を示してもよい。バッファ９０６中でペンディングであるデータの意図的な偽の値は、チューンアウェイギャップの総期間または長さを修正してもよく、あるいは、次のチューンアウェイギャップの期間を決定してもよい。
【００５８】
［００６３］
ＵＥ９００は、メモリ９０８中に記憶されているプログラムコードを実施または実行し、ＵＥ９００の他のコンポーネントを制御するプロセッサ９１０も含んでいてもよい。ＵＥ９００における、プロセッサ９１０および／または他のプロセッサはまた、機能的なブロックの実行を実施または指示してもよい。
【００５９】
［００６４］
さまざまな異なるテクノロジーおよび技術のうちのいずれかを使用して情報および信号を表してもよいことを、当業者は理解するだろう。例えば、上記の記述全体を通して参照されるかもしれない、データ、命令、コマンド、情報、信号、ビット、シンボル、および、チップは、電圧、電流、電磁波、磁界または磁粒、光界または光粒、あるいは、これらの任意の組み合わせにより表されてもよい。
【００６０】
［００６５］
図５〜９中の機能的ブロックおよびモジュールは、プロセッサ、エレクトロニクスデバイス、ハードウェアデバイス、エレクトロニクスコンポーネント、論理回路、メモリ、ソフトウェアコード、ファームウェアコード等を、または、これらの任意の組み合わせを含んでいてもよい。
【００６１】
［００６６］
ここでの開示に関連して説明した、さまざまな例示的な論理ブロック、モジュール、回路、および、プロセスステップを、電子ハードウェア、コンピュータソフトウェア、または、双方の組み合わせとして実現してもよいことを、当業者はさらに正しく認識するであろう。ハードウェアとソフトウェアとのこの互換性を明確に示すために、さまざまな実例となるコンポーネント、ブロック、モジュール、回路、およびステップを、一般的にそれらの機能性に関して上記で説明した。このような機能性をハードウェアとして実現するか、またはソフトウェアとして実現するかは、特定のアプリケーションと全体的なシステムに課せられている設計制約とに依存する。熟練者は、各特定のアプリケーションに対してさまざまな方法で、説明した機能性を実現するかもしれないが、このようなインプリメンテーションの決定は、本開示の範囲から逸脱をもたらすと解釈すべきでない。
【００６２】
［００６７］
ここでの開示に関連して説明した、さまざまな実例となる論理ブロック、モジュール、および、回路は、ここで説明した機能を実行するように設計された、汎用プロセッサ、デジタル信号プロセッサ（ＤＳＰ）、特定用途向け集積回路（ＡＳＩＣ）、フィールドプログラム可能ゲートアレイ（ＦＰＧＡ）または他のプログラム可能論理デバイス、ディスクリートゲートまたはトランジスタ論理、ディスクリートハードウェアコンポーネント、あるいは、これらの任意の組み合わせを用いて、実現または実行してもよい。汎用プロセッサはマイクロプロセッサであってもよいが、代替実施形態では、プロセッサは、任意の従来のプロセッサ、制御装置、マイクロ制御装置、または、状態機械であってもよい。プロセッサはまた、例えば、ＤＳＰとマイクロプロセッサとの組み合わせ、複数のマイクロプロセッサ、ＤＳＰコアに関連する１つ以上のマイクロプロセッサ、または、他の何らかのこのようなコンフィギュレーションである、コンピューティングデバイスの組み合わせとして実現してもよい。
【００６３】
［００６８］
ここでの開示に関連して説明した方法またはプロセスのステップは、ハードウェアで、プロセッサにより実行されるソフトウェアモジュールで、または、２つの組み合わせで、直接的に具現化してもよい。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または、技術的に既知である他の何らかの形態の記憶媒体中に存在してもよい。例示的な記憶媒体は、プロセッサが記憶媒体から情報を読み取ったり、記憶媒体に情報を書き込んだりできるようにプロセッサに結合されている。代替実施形態では、記憶媒体は、プロセッサと一体化されていてもよい。プロセッサおよび記憶媒体は、ＡＳＩＣ中に存在していてもよい。ＡＳＩＣは、ユーザ端末中に存在していてもよい。代替実施形態では、プロセッサおよび記憶媒体は、ユーザ端末中のディスクリートコンポーネントとして存在していてもよい。
【００６４】
［００６９］
１つ以上の例示的な設計において、説明した機能を、ハードウェア、ソフトウェア、ファームウェア、または、これらの任意の組み合わせで実現してもよい。ソフトウェアで実現する場合、機能は、１つ以上の命令またはコードとしてコンピュータ読取可能媒体上に記憶されていてもよく、あるいは、１つ以上の命令またはコードとしてコンピュータ読取可能媒体上で送信されてもよい。コンピュータ読取可能記憶媒体は、汎用または特殊目的コンピュータによってアクセスすることができる任意の利用可能な媒体であってもよい。限定ではなく例として、このようなコンピュータ読取可能記憶媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、命令またはデータ構造の形態で所望のプログラムコード手段を搬送または記憶するために使用することができ、汎用コンピュータまたは特殊目的コンピュータ、もしくは、汎用プロセッサまたは特殊目的プロセッサによってアクセスできる、他の何らかの媒体を備えることができる。また、非一時的接続は、コンピュータ読取可能媒体の定義内に適切に含まれてもよい。例えば、命令が、ウェブサイトから、サーバから、あるいは、他の遠隔ソースから、同軸ケーブルを、光ファイバケーブルを、撚り対を、または、デジタル加入者線（ＤＳＬ）を使用して送信される場合、同軸ケーブルや、光ファイバケーブルや、撚り対や、ＤＳＬは、媒体の定義中に含まれる。ここで使用したようなディスク（ｄｉｓｋおよびｄｉｓｃ）は、コンパクトディスク（ＣＤ）、レーザーディスク（登録商標）、光ディスク、デジタル汎用ディスク（ＤＶＤ）、フロッピー（登録商標）ディスク、および、ブルーレイ（登録商標）ディスクを含むが、通常、ディスク（ｄｉｓｋ）はデータを磁気的に再生する一方で、ディスク（ｄｉｓｃ）はデータをレーザにより光学的に再生する。上記の組み合わせもまた、コンピュータ読取可能媒体の範囲内に含まれるべきである。
【００６５】
［００７０］
特許請求の範囲を含め、ここで使用するように、用語「および／または」は、２つ以上の項目のリスト中で使用するとき、リストされている項目のうちのいずれか１つをそれ自体により用いることができること、または、リストされている項目のうちの２つ以上の任意の組み合わせを用いることができることを意味している。例えば、コンポジションが、コンポーネントＡ、Ｂ、および／またはＣを含んでいるとして説明されている場合、コンポジションは、Ａだけ、Ｂだけ、Ｃだけ、ＡとＢとの組み合わせ、ＡとＣとの組み合わせ、ＢとＣとの組み合わせ、または、ＡとＢとＣとの組み合わせを含むことができる。また、特許請求の範囲を含め、ここで使用するように、項目のリスト（例えば、「のうちの少なくとも１つ」または「のうちの１つ以上」のようなフレーズにより始まる項目のリスト）中で使用する「または」は、例えば、「Ａ、Ｂ、またはＣ、のうちの少なくとも１つ」のリストが、ＡまたはＢまたはＣあるいはＡＢまたはＡＣまたはＢＣあるいはＡＢＣ（すなわち、ＡとＢとＣ）を意味するように、選言的リストを示している。
【００６６】
［００７１］
本開示の先の説明は、任意の当業者が本開示を製造または使用することを可能にするように提供されている。本開示に対するさまざまな改良は、当業者に容易に明らかとなり、ここで規定される包括的な原理は、本開示の精神または範囲から逸脱することなく他のバリエーションに適用してもよい。したがって、本開示は、ここで説明した例および設計に限定されるように意図してはおらず、ここで開示した原理および新規の特徴と一致する最も広い範囲が与えられるべきである。
以下に、本願出願の当初の特許請求の範囲に記載された発明を付記する。
［１］  ワイヤレス通信のための方法において、
単一の無線周波数（ＲＦ）チェーン上でユーザ機器（ＵＥ）が第１の無線アクセステクノロジー（ＲＡＴ）から第２のＲＡＴへのチューンアウェイを実行するチューンアウェイギャップを前記ＵＥによって決定することと、
前記決定されたチューンアウェイギャップの期間を修正するために、前記ＵＥによって、意図的な偽バッファステータス報告（ＢＳＲ）を送信することとを含み、
前記ＵＥにおいて受信されることになる前記第１のＲＡＴ上のアップリンクデータ送信のためのアップリンク許可が修正されるように、前記意図的な偽ＢＳＲは、前記第１のＲＡＴ上で送信されることになるバッファ中でペンディングであるアップリンクデータの意図的な偽の値を示す方法。
［２］  前記決定されたチューンアウェイギャップの期間を修正するために、前記意図的な偽ＢＳＲを送信することは、前記決定されたチューンアウェイギャップの終わりにおいて前記決定されたチューンアウェイギャップを拡大するために、前記意図的な偽ＢＳＲを送信することを含む［１］記載の方法。
［３］  前記意図的な偽ＢＳＲは、前記決定されたチューンアウェイギャップの後に送信されることになる前記バッファ中でペンディングである減少されたアップリンクデータを示す［２］記載の方法。
［４］  前記意図的な偽ＢＳＲの送信のために、アップリンク許可に対するスケジューリング要求を送信することをさらに含む［１］記載の方法。
［５］  前記第１のＲＡＴ上の前記アップリンクデータ送信を回復するために、前記バッファ中でペンディングであるアップリンクデータの真の値を示す真ＢＳＲを送信することをさらに含む［１］記載の方法。
［６］  前記真ＢＳＲは、前記決定されたチューンアウェイギャップを短縮するために、前記決定されたチューンアウェイギャップの間に送信される［５］記載の方法。
［７］  追加の意図的な偽ＢＳＲを送信することにより、次のチューンアウェイギャップを可能にすることをさらに含む［１］記載の方法。
［８］  前記可能にすることは、異なる期間を有する複数のチューンアウェイギャップから前記次のチューンアウェイギャップを選択することを含む［７］記載の方法。
［９］  前記チューンアウェイは、前記ＵＥによって自律的に開始される［１］記載の方法。
［１０］  ［１］〜［９］の任意の組み合わせの方法。
［１１］  ワイヤレス通信装置において、
単一の無線周波数（ＲＦ）チェーン上でユーザ機器（ＵＥ）が第１の無線アクセステクノロジー（ＲＡＴ）から第２のＲＡＴへのチューンアウェイを実行するチューンアウェイギャップを前記ＵＥによって決定する手段と、
前記決定されたチューンアウェイギャップの期間を修正するために、前記ＵＥによって、意図的な偽バッファステータス報告（ＢＳＲ）を送信する手段とを具備し、
前記ＵＥにおいて受信されることになる前記第１のＲＡＴ上のアップリンクデータ送信のためのアップリンク許可が修正されるように、前記意図的な偽ＢＳＲは、前記第１のＲＡＴ上で送信されることになるバッファ中でペンディングであるアップリンクデータの意図的な偽の値を示すワイヤレス通信装置。
［１２］  前記決定されたチューンアウェイギャップの期間を修正するために、前記意図的な偽ＢＳＲを送信する手段は、前記決定されたチューンアウェイギャップの終わりにおいて前記決定されたチューンアウェイギャップを拡大するために、前記意図的な偽ＢＳＲを送信する手段を備える［１１］記載のワイヤレス通信装置。
［１３］  前記意図的な偽ＢＳＲは、前記決定されたチューンアウェイギャップの後に送信されることになる前記バッファ中でペンディングである減少されたアップリンクデータを示す［１２］記載のワイヤレス通信装置。
［１４］  前記意図的な偽ＢＳＲの送信のために、アップリンク許可に対するスケジューリング要求を送信する手段をさらに具備する［１１］記載のワイヤレス通信装置。
［１５］  前記第１のＲＡＴ上の前記アップリンクデータ送信を回復するために、前記バッファ中でペンディングであるアップリンクデータの真の値を示す真ＢＳＲを送信する手段をさらに具備する［１１］記載のワイヤレス通信装置。
［１６］  前記真ＢＳＲは、前記決定されたチューンアウェイギャップを短縮するために、前記決定されたチューンアウェイギャップの間に送信される［１５］記載のワイヤレス通信装置。
［１７］  追加の意図的な偽ＢＳＲを送信することにより、次のチューンアウェイギャップを可能にする手段をさらに具備する［１１］記載のワイヤレス通信装置。
［１８］  前記可能にする手段は、異なる期間を有する複数のチューンアウェイギャップから前記次のチューンアウェイギャップを選択する手段を備える［１７］記載のワイヤレス通信装置。
［１９］  前記チューンアウェイは、前記ＵＥによって自律的に開始される［１１］記載のワイヤレス通信装置。
［２０］  ［１１］〜［１９］の任意の組み合わせのワイヤレス通信装置。
［２１］  ワイヤレス通信のためにその上に記録されているプログラムコードを有する非一時的コンピュータ読取可能媒体において、前記プログラムコードは、
単一の無線周波数（ＲＦ）チェーン上でユーザ機器（ＵＥ）が第１の無線アクセステクノロジー（ＲＡＴ）から第２のＲＡＴへのチューンアウェイを実行するチューンアウェイギャップを前記ＵＥによって決定するためのプログラムコードと、
前記決定されたチューンアウェイギャップの期間を修正するために、前記ＵＥによって、意図的な偽バッファステータス報告（ＢＳＲ）を送信するためのプログラムコードとを含み、
前記ＵＥにおいて受信されることになる前記第１のＲＡＴ上のアップリンクデータ送信のためのアップリンク許可が修正されるように、前記意図的な偽ＢＳＲは、前記第１のＲＡＴ上で送信されることになるバッファ中でペンディングであるアップリンクデータの意図的な偽の値を示す非一時的コンピュータ読取可能媒体。
［２２］  前記決定されたチューンアウェイギャップの期間を修正するために、前記意図的な偽ＢＳＲを送信するためのプログラムコードは、前記決定されたチューンアウェイギャップの終わりにおいて前記決定されたチューンアウェイギャップを拡大するために、前記意図的な偽ＢＳＲを送信するためのプログラムコードを含む［２１］記載の非一時的コンピュータ読取可能媒体。
［２３］  前記意図的な偽ＢＳＲは、前記決定されたチューンアウェイギャップの後に送信されることになる前記バッファ中でペンディングである減少されたアップリンクデータを示す［２２］記載の非一時的コンピュータ読取可能媒体。
［２４］  前記意図的な偽ＢＳＲの送信のために、アップリンク許可に対するスケジューリング要求を送信するためのプログラムコードをさらに含む［２１］記載の非一時的コンピュータ読取可能媒体。
［２５］  前記第１のＲＡＴ上の前記アップリンクデータ送信を回復するために、前記バッファ中でペンディングであるアップリンクデータの真の値を示す真ＢＳＲを送信するためのプログラムコードをさらに含む［２１］記載の非一時的コンピュータ読取可能媒体。
［２６］  前記真ＢＳＲは、前記決定されたチューンアウェイギャップを短縮するために、前記決定されたチューンアウェイギャップの間に送信される［２５］記載の非一時的コンピュータ読取可能媒体。
［２７］  追加の意図的な偽ＢＳＲを送信することにより、次のチューンアウェイギャップを可能にするためのプログラムコードをさらに含む［２１］記載の非一時的コンピュータ読取可能媒体。
［２８］  前記可能にするためのプログラムコードは、異なる期間を有する複数のチューンアウェイギャップから前記次のチューンアウェイギャップを選択するためのプログラムコードを含む［２７］記載の非一時的コンピュータ読取可能媒体。
［２９］  前記チューンアウェイは、前記ＵＥによって自律的に開始される［２１］記載の非一時的コンピュータ読取可能媒体。
［３０］  ［２１］〜［２９］の任意の組み合わせの非一時的コンピュータ読取可能媒体。
［３１］  ワイヤレス通信のために構成されている装置において、
少なくとも１つのプロセッサと、
前記少なくとも１つのプロセッサに結合されているメモリとを具備し、
前記少なくとも１つのプロセッサは、
単一の無線周波数（ＲＦ）チェーン上でユーザ機器（ＵＥ）が第１の無線アクセステクノロジー（ＲＡＴ）から第２のＲＡＴへのチューンアウェイを実行するチューンアウェイギャップを前記ＵＥによって決定し、
前記決定されたチューンアウェイギャップの期間を修正するために、前記ＵＥによって、意図的な偽バッファステータス報告（ＢＳＲ）を送信するように構成され、
前記ＵＥにおいて受信されることになる前記第１のＲＡＴ上のアップリンクデータ送信のためのアップリンク許可が修正されるように、前記意図的な偽ＢＳＲは、前記第１のＲＡＴ上で送信されることになるバッファ中でペンディングであるアップリンクデータの意図的な偽の値を示す装置。
［３２］  前記決定されたチューンアウェイギャップの期間を修正するために、前記意図的な偽ＢＳＲを送信する前記少なくとも１つのプロセッサの構成は、前記決定されたチューンアウェイギャップの終わりにおいて前記決定されたチューンアウェイギャップを拡大するために、前記意図的な偽ＢＳＲを送信する構成を含む［３１］記載の装置。
［３３］  前記意図的な偽ＢＳＲは、前記決定されたチューンアウェイギャップの後に送信されることになる前記バッファ中でペンディングである減少されたアップリンクデータを示す［３２］記載の装置。
［３４］  前記少なくとも１つのプロセッサは、前記意図的な偽ＢＳＲの送信のために、アップリンク許可に対するスケジューリング要求を送信するようにさらに構成されている［３１］記載の装置。
［３５］  前記少なくとも１つのプロセッサは、前記第１のＲＡＴ上の前記アップリンクデータ送信を回復するために、前記バッファ中でペンディングであるアップリンクデータの真の値を示す真ＢＳＲを送信するようにさらに構成されている［３１］記載の装置。
［３６］  前記真ＢＳＲは、前記決定されたチューンアウェイギャップを短縮するために、前記決定されたチューンアウェイギャップの間に送信される［３５］記載の装置。
［３７］  前記少なくとも１つのプロセッサは、追加の意図的な偽ＢＳＲを送信することにより、次のチューンアウェイギャップを可能にするようにさらに構成されている［３１］記載の装置。
［３８］  前記可能にする前記少なくとも１つのプロセッサの構成は、異なる期間を有する複数のチューンアウェイギャップから前記次のチューンアウェイギャップを選択する構成を含む［３７］記載の装置。
［３９］  前記チューンアウェイは、前記ＵＥによって自律的に開始される［３１］記載の装置。
［４０］  ［３１］〜［３９］の任意の組み合わせの装置。
【図１】
0006585186.tif 000002
【図２】
0006585186.tif 000003
【図３】
0006585186.tif 000004
【図４】
0006585186.tif 000005
【図５】
0006585186.tif 000006
【図６】
0006585186.tif 000007
【図７】
0006585186.tif 000008
【図８】
0006585186.tif 000009
【図９】
0006585186.tif 000010